(57)【特許請求の範囲】
【請求項１】
長尺物を立抗内に吊り降ろした後、横坑内に案内する長尺物案内装置であって、
前記立坑内に沿って延びる立坑用ガイドレールと、前記立坑用ガイドレールに係合して前記立坑用ガイドレールに沿って移動する立坑用移動体と、前記立坑用ガイドレールと対向して前記立坑内に沿って設けられたガイド用ワイヤロープと、前記横坑内を走行する台車とを備え、前記立坑用移動体は、横坑側先端部を下方にして斜めに傾けて吊り下げられた前記長尺物を、前記立坑用ガイドレールおよび前記ガイド用ワイヤロープに沿って案内可能であり、前記台車は、前記長尺物の前記横坑側先端部を受ける受け部を備え、前記受け部は、前記台車に回動可能に取り付けられていることを特徴とする長尺物案内装置。
【請求項２】
長尺物を立抗内に吊り降ろした後、横坑内に案内する長尺物案内装置であって、
前記立坑内に沿って延びる立坑用ガイドレールと、前記立坑用ガイドレールに係合して前記立坑用ガイドレールに沿って移動する立坑用移動体と、前記立坑用ガイドレールと対向して前記立坑内に沿って設けられたガイド用ワイヤロープと、前記横坑内に沿って延びる横坑用ガイドレールと、前記横坑用ガイドレールに沿って移動する横坑用移動体とを備え、前記立坑用移動体は、横坑側先端部を下方にして斜めに傾けて吊り下げられた前記長尺物を、前記立坑用ガイドレールおよび前記ガイド用ワイヤロープに沿って案内可能であり、前記横坑用移動体は、前記長尺物を吊り下げるようにして、前記横坑内を搬送案内することを特徴とする長尺物案内装置。
【発明の詳細な説明】
【０００１】
【発明の属する技術分野】
本発明は、ガス管等の長尺物を坑内で安定して鉛直方向、水平方向に案内する長尺物案内装置に関する。
【０００２】
【従来の技術】
一般に、ガス管や水道管等の長尺物を地下に設置する場合、先ず、地面に垂直方向に延びる径の大きな立坑を掘削し、ガス管等の長尺物を設置しようとする深さの位置で、立坑の内壁から水平方向に延びるトンネルを掘削し、次いで、地上から立坑を通してトンネルの位置まで長尺物を吊り降し、その後、トンネル内で台車等を使用して長尺物を設置場所まで搬送している。
【０００３】
従来、長尺物を設置場所まで搬入する場合、立坑の内壁に長尺物の端部が衝突しないようにするため、或いは、トンネル内を移動する台車に長尺物を搭載する際に立坑の内壁に形成されたトンネルの入り口に長尺物がつかえてしまわないようにするため、その長さを短くしていた。
【０００４】
そして、長尺物を立坑内で吊り降ろす際、ワイヤーロープ等で長尺物を玉掛けし、クレーン等で吊り下げて行われていた。この場合、長尺物がふらついて立坑の内壁に衝突すのを防止するため、麻ロープ等の介添えロープを長尺物に結わえつけ、人力によって誘導することで行われていた。
【０００５】
また、立坑の径より長い長尺物を斜めに傾けて立坑を吊り降ろした場合には、吊り降ろされた長尺物をトンネル内を移動する台車に搭載させるとき、長尺物を直接台車に載せず、立坑の底で長尺物の端部を一時仮受けをして、ウインチ等を使用して徐々にトンネル内に長尺物を引き入れてから台車に搭載していた。
【０００６】
さらに、トンネル内で長尺物同士を接合する場合、長尺物にナイロンスリング等を巻き付け、レバーブロックを使用してトンネルの上面に長尺物を吊り下げて、溶接等の接合作業を行っていた。
【０００７】
【発明が解決しようとする課題】
しかし、長尺物の長さを短くすれば、搬入回数や接合作業の増加を招く等、時間的、人的な負担が増大する。また、吊り降ろしの際に介添えロープ等により人力で長尺物を誘導したのでは、作業者に多大な負担を掛けるだけでなく、ふらつきを完全に防止することは極めて困難である。さらに、接合作業の際、ナイロンスリング等を使用して長尺物を吊り下げていたのでは、伸びが発生して位置が徐々にずれたり、また、既製品のナイロンスリングでは長さが不適確であり、長尺物にナイロンスリングを巻き付け、その一方をトンネル上面に設けた吊り下げ用のリングに固定して安全性を確保する方法を取ることが、スペースの関係でできず危険を伴っていた。
【０００８】
そこで、本発明では、長い長尺物を安定して坑内に搬入することができ、設置作業を容易にする長尺物案内装置を提供する。
【０００９】
【課題を解決するための手段】
請求項１記載の発明は、長尺物を立抗内に吊り降ろした後、横坑内に案内する長尺物案内装置であって、前記立坑内に沿って延びる立坑用ガイドレールと、前記立坑用ガイドレールに係合して前記立坑用ガイドレールに沿って移動する立坑用移動体と、前記立坑用ガイドレールと対向して前記立坑内に沿って設けられたガイド用ワイヤロープと、前記横坑内を走行する台車とを備え、前記立坑用移動体は、横坑側先端部を下方にして斜めに傾けて吊り下げられた前記長尺物を、前記立坑用ガイドレールおよび前記ガイド用ワイヤロープに沿って案内可能であり、前記台車は、前記長尺物の前記横坑側先端部を受ける受け部を備え、前記受け部は、前記台車に回動可能に取り付けられていることに特徴を有する。
【００１０】
請求項２記載の発明は、長尺物を立抗内に吊り降ろした後、横坑内に案内する長尺物案内装置であって、前記立坑内に沿って延びる立坑用ガイドレールと、前記立坑用ガイドレールに係合して前記立坑用ガイドレールに沿って移動する立坑用移動体と、前記立坑用ガイドレールと対向して前記立坑内に沿って設けられたガイド用ワイヤロープと、前記横坑内に沿って延びる横坑用ガイドレールと、前記横坑用ガイドレールに沿って移動する横坑用移動体とを備え、前記立坑用移動体は、横坑側先端部を下方にして斜めに傾けて吊り下げられた前記長尺物を、前記立坑用ガイドレールおよび前記ガイド用ワイヤロープに沿って案内可能であり、前記横坑用移動体は、前記長尺物を吊り下げるようにして、前記横坑内を搬送案内することに特徴を有する。
【００１３】
【発明の実施の形態】
図１から図３は、本発明の１実施形態にかかる長尺物を吊り降ろし際に使用する長尺物案内装置を示している。
【００１４】
図１は、立坑Ｔ１内で長尺物であるガス管Ｐをクレーン（不図示）によって吊り降ろしている状況を示している。立坑Ｔ１はその周囲をケーソンＣで覆われており、坑内で作業するものを保護している。また、立坑Ｔ１の底部では、ガス管Ｐを設置場所まで搬入できるよう、トンネルＴ２が水平方向に延びるようにして形成されている。ガス管Ｐにはその長手方向を約３当分する２ヶ所の位置に外周を把持する円環状の玉掛け治具Ｇ，Ｇが取り付けられ、これら治具２本の玉掛け用のワイヤロープＷ１，Ｗ２がそれぞれ取り付けられている。そして、玉掛け用のワイヤロープＷ１，Ｗ２の頂部にクレーン（不図示）の荷吊り用のワイヤーロープＷの先端が取り付けられている。
【００１５】
２本の玉掛け用のワイヤロープＷ１，Ｗ２のうち、ワイヤロープＷ２はワイヤロープＷ１より短く形成され、これによりガス管Ｐを吊った際、ガス管が斜めに傾くようにされていて、たとえガス管Ｐの長さが立坑Ｔ１の径より長い場合でも、立坑Ｔ１内に吊り降ろしできるようになっている。
【００１６】
そして、ガス管Ｐの端部のうち上側に位置する一端側（図１の右側）には、ガス管Ｐのふらつきを防止して、安定して吊り降ろすことができるように案内する長尺物案内装置Ｄ１が設けられている。この装置Ｄ１は、立坑Ｔ１の内壁面に設けられ、上下方向に延びるガイドレール１と、このガイドレール１に係合してガイドレール１に沿って移動する移動体２とを備えている。ガス管Ｐの一端は、この装置Ｄ１の移動体２によって把持されている。
【００１７】
また、ガス管Ｐの他端側（図１の左側）には、上下に伸びるワイヤロープＷ３が設けられている。このワイヤロープＷ３には玉掛け治具Ｇに取り付けられた細い介添えロープＷ４の先端が摺動可能に取り付けられている。
【００１８】
図２、図３は、長尺物案内装置Ｄ１の詳細を示している。
【００１９】
ガイドレール１は、Ｈ形鋼で形成された部材を立坑Ｔ１の内壁面にアンカーボルトで取り付けて設けられている。このガイドレール１は、Ｈ形に形成された部分のうち、２枚の平行に設けられた平板部の一方が立坑Ｔ１の半径方向の中心に向けられ、他方が立坑Ｔ１の内壁面に取り付けられている。
【００２０】
一方、移動体２は、ガイドレール１に係合する係合部２１と、ガス管Ｐの端部を固定するように把持するリング状の把持部２５とを備えている。
【００２１】
係合部２１には、断面形状がコの字に形成された２つの溝形鋼２４，２４がその平板部分を対向させて平行になるように設けられ、これら２つの溝形鋼２４，２４の長手方向の一端は、連結部材２７によって連結されている。連結部材２７の長手方向の中央部には、上端が円弧状に形成された２枚の平板が平行になるようにして連結板２４１，２４１が設けられている。この連結板には、ピンを挿入させることができる挿入孔が形成されている。また、溝形鋼２４，２４の他端には、ガイドレール１の前記他方の平板部を転動するローラー２２，２２が回転軸２２１，２２１を介してそれぞれ取り付けられている。このローラー２２，２２には、コの字に形成されたローラーカバー２２２，２２２がローラー２２，２２の外周面をそれぞれ覆うように設けられている。さらに、溝形鋼２４，２４の長手方向のほぼ中央部には、円筒状のローラー２３が、これら溝形鋼２４，２４によって両端を支持された回転軸２３１を介して回転自在に取り付けられている。
【００２２】
把持部２５は、半円状に形成された帯状の高強度の２つの部材からなり、これら２つの半円状の部材により円管が形成されるように端部同志を突き合わせて構成されている。これら二つの部材の端部には、半径方向外側に向けて折り曲げて形成された突き合わせ部２５１‥２５１が設けられている。そして２つの半円状の部材はこれら突き合わせ部２５１‥２５１を重ね合わせてボルトｂ‥ｂにより固着されている。
【００２３】
また、これら半円状の部材の円周方向の中央部には、ピンを挿入することが可能な挿入孔が形成された連結板２５２が半径方向外側に向けて突出するように取り付けられている。なお、ガス管Ｐの端部を損傷させること無く把持できるようにゴム材等で形成された保護部材が内周面に沿って備えられている。さらに、突き合わせ部２５１，２５１には、抜け防止のワイヤーロープＷ５，Ｗ５を取り付けるワイヤーー取付部２５２，２５２が設けられている（図２参照）。なお、抜け防止のワイヤーロープＷ５，Ｗ５は、玉掛け用の治具（図１の符号Ｇの部材）にも取り付けられている。したがってワイヤーロープＷ５，Ｗ５にテンションを与えれば、ガス管Ｐの一端を把持する把持部２５にガス管Ｐの他端に向けて力を加えることができ、ガス管Ｐが把持部２５から抜け出るのを防止できる。
【００２４】
そして、把持部２５と係合部２１とは、相互に回動可能に取り付けられている。これらは、把持部２５の連結板２５２を係合部２１の連結板２４１，２４１の間に挿入させて、挿入孔の位置を一致せしめ、連結ピン２６を挿入孔に挿入して取り付けられている。このように回動可能に取り付ければ、ガス管Ｐを所望の角度に傾けることができ、かつ、図３に示すように立坑Ｔ１の底部において、ガス管Ｐの傾きの変化に応じて把持部２５を回動させることができ、円滑な吊り降ろしをすることができる。
【００２５】
この移動体２をガイドレール１に取り付けるには、予め、移動体２をガス管Ｐの端部に取り付けておき、ガス管Ｐを斜めに傾くようにして、クレーンで吊って移動体２をガイドレール１の上端の位置まで運ぶ。次いで、ガイドレール１の平板状の部材のうち立坑Ｔ１の半径方向の中心に向けられた方にローラー２２，２２と円筒状のローラー２３との間を係合させて取り付ける。この際、係合部２１が水平状態を維持して取付を容易にできるよう、係合部２１が把持部２５に対して回動してしまわないよう回動ストッパーＳを設けている（図３参照）。
【００２６】
次に、図４から図６を参照して横坑Ｔ２内で長尺物であるガス管Ｐを搬送案内する長尺物搬送案内装置Ｄ２について説明する。
【００２７】
この装置Ｄ２は、図４に示すように、立坑内Ｔ１の底部から横坑Ｔ２の下面に沿って横坑Ｔ２の突き当たりの位置まで延びる２本のレール３，３と、このレール３，３の上面に沿って移動する台車４とを備えている。長尺物搬送案内装置Ｄ２は、立坑内Ｔ１で吊り降ろし用の長尺物案内装置Ｄ１により案内されたガス管Ｐの先端側を台車４によって受けて、ガス管Ｐの下降とともに台車４が徐々に横坑Ｔ２の内部に移動してガス管Ｐの側部と横坑Ｔ２の入り口とがぶつからないようにして横坑Ｔ２にガス管Ｐを横向きにして搬入できるようになっている。
【００２８】
台車４は、レール３，３の上面を転動しする車輪４１‥４１と、この車輪４１‥４１を回転自在に取り付け、台車４の本体部をなす頑丈な部材で形成された本体フレーム４２と、ガス管Ｐの先端部を受けるための受け部４３とを備えている。
【００２９】
本体フレーム４２は、アングル材等の形鋼で長方形の枠を形成し、長手方向の両端部にシャフトによって中心が連結された車輪４１，４１を一対ずつ取り付けている。長手方向の中央には、幅方向に延びる補強材４４が設けられている。また、この補強材４４が取り付けられている幅方向の両端の形鋼には、上方に向けて延び、受け部４３を支持するための平板状の支持部４５がそれぞれ設けられている。
【００３０】
一方、ガス管Ｐの先端を受けるための受け部４３は、高強度の半円筒状の部材で形成され、その長手方向を本体フレーム４２の長手方向に一致させ、凹状の面を上側に向けて本体フレーム４２に取り付けられている。この凹状の面には、ガス管Ｐの先端の側部を保護するため、ゴムシート等の保護部材４３１が取り付けられている。また受け部の凸状の面には幅方向の両端に、フラットバー４３２が側端面に沿って取り付けられられている。このフッラトバー４３２は、一端側が受け部の端面から突出するように取り付けられていて、その先端には、取付孔が設けられている。
【００３１】
この受け部４３は、フラットバー４３２の取付孔が本体フレーム４２の支持部４５にピン４６によって取り付けられ、本体フレーム４２に対し回動自在となっている。フラットバー４３２の受け部４３から突出している部分には、棒材４７が本体フレーム４２の長手方向に沿って突出するように取り付けられている。また、この棒材４７には本体フレーム４２と連結するようにコイルばね４８が取り付けられ、受け部４３をその凹状の面が前向きとなる方向に回動するように付勢している。さらに、本体フレーム４２には棒材４７の先端部が当接する回動ストッパー４９が設けられ、受け部４３の回動を制限して、受け部４３が水平方向に対し一定に角度を維持して静止できるようにしている。
【００３２】
このように受け部４３を設けているいるので、吊り降ろし用の長尺物案内装置によって斜めに傾けられて案内されたガス管Ｐを受けやすい角度で受け部４３を静止させておくことができ、ガス管Ｐを受けた後は、ガス管Ｐを静かに水平状態にさせることができる。
【００３３】
なお、ガス管Ｐを受けた際、ガス管Ｐの先端面の衝撃を緩和するために、木材等の緩衝材を受け部の下端に取り付けておくとよい。
【００３４】
また、図６に示すように、本体フレーム４２の受け部４３より後方にジャッキ装置５を設けてもよい。このジャッキ装置５はガス管Ｐを上下に移動させるための油圧のシリンダ５１と、シリンダロッドの先端に取り付けられ、ガス管の側面を支持するための半円形状の受け部５２とを備えている。このジャッキ装置は、ガス管Ｐを設置場所まで搬送した際に、その場所で接合する時にガス管Ｐを所定の高さまでジャッキアップして、その位置で作業を行うためのものである。
【００３５】
次に、図７、図８を参照して、横坑内で、長尺物であるガス管Ｐを搬送案内する別の長尺物案内装置Ｄ３について説明する。
【００３６】
この装置Ｄ３は、横坑Ｔ２の上面に沿って延びるようにＩ形鋼等で形成されたガイドレール６を設け、ガス管Ｐの長手方向をガイドレール６に沿わせて長手方向を約３当分する位置でガイドレール６に吊り下げるようにして搬送案内する。
【００３７】
ガイドレール６には、ガス管Ｐを把持し、ガイドレール６に沿って移動する移動体７が吊り下げられている。移動体７は、Ｉ形に形成されたガイドレール６の下部に係合する係合部８と、半円状に形成された２つの帯状材を、円が形成されるように突き合わせてガス管Ｐを把持する把持部９とを備えている。係合部８と把持部９とはターンバックル１０によって着脱自在に連結されている。
【００３８】
係合部８は、２枚の平板材８１，８１を相対向させ、これらの下部を円柱状の部材８２で連結して設けられている。また、平板材８１，８１の上部には、ガイドレール６を転動するローラー８３が平板材８１，８１の間に回転軸８４，８４を介してそれぞれ回転自在に取り付けられている。係合部８は、ローラー８３，８３がＩ形に形成されたガイドレール６の下部の部材の上面を転動するようにガイドレール６に係合している。
【００３９】
把持部９は、半円状に形成された帯状の頑丈な２つの部材からなり、これら２つの部材により円管が形成されるように突き合わせて構成されている。突き合わせの部分には、半径方向外側に向けて折り返し部９１‥９１が設けられ、これら返し部を重ね合わせてボルトｂ‥ｂにより固着されている。また、把持部９を構成する部材のうち上側の部材には、その外周面の円周方向の中央部に孔の空いた取付部９２が突設され、その前後には、台形状の取付部を保護するためのカバー９３，９３が設けられている。
【００４０】
係合部８と把持部９とを着脱自在に連結しているターンバックル１０は円柱状に形成された部材であり、その両端面の中心部には雌ねじが設けられ、そこには、アイボルト１０１，１０１が螺合されている。尚、この雌ねじは一端側と他端側とで逆ねじになるように施されている。また、ターンバックル１０の側面の上部には、半径方向外側に向けて延びる棒状のハンドル１０２が設けられている。
【００４１】
このターンバックル１０は、上側のアイボルト１０１がシャックル８５を介して係合部８の円柱部材８２に取り付けられ、下側のアイボルト１０１がピンを介して把持部９の取付部９２に取り付けられている。
【００４２】
【発明の効果】
以上説明したように、請求項１、２に係る発明では、従来より長い長尺物を坑内に容易に搬入させることができ、搬入回数の低減、作業の容易化、安全性の確保をはかることができる。また、立坑内で長尺物を吊り降ろす際に長尺物ふらつかせずに一定の体制を維持したまま吊り降ろすことができる。しかも、請求項１に係る発明では、立坑の径より長い長尺物を立坑の底部の位置に形成された横坑荷搬入する場合でも、吊り降ろされた長尺物を円滑に横坑内に引き込むことができる。さらに、請求項２に係る発明では、長尺物を安定して搬送案内することができ、かつ、長尺物を接合する際に、長尺物の位置を確実に維持して作業を容易にすることができる。
【図面の簡単な説明】
【図１】立坑内で長尺物を吊り降ろす際に使用する本発明の１実施形態にかかる長尺物案内装置を示す図。
【図２】図１の長尺物案内装置の平面図。
【図３】図２の長尺物案内装置の側面図。
【図４】本発明の１実施形態にかかる長尺物搬送案内装置を使用して長尺物を横坑に搬入する状況を示す図。
【図５】図４の長尺物搬送案内装置に使用する台車の１実施形態を示す側面図。
【図６】図５とは別の実施形態にかかる台車示す側面図。
【図７】本発明の１実施形態にかかる長尺物搬送案内装置を使用して長尺物を横坑内で搬送する状況を示す図。
【図８】図７に示す長尺物搬送案内装置の正面図。
【符号の説明】
１，６  ガイドレール
２，７  移動体
２１，８  係合部
２５，９  把持部
３  レール
４  台車
４３  受け部
【図１】
0004012639.tif 000002
【図２】
0004012639.tif 000003
【図３】
0004012639.tif 000004
【図４】
0004012639.tif 000005
【図５】
0004012639.tif 000006
【図６】
0004012639.tif 000007
【図７】
0004012639.tif 000008
【図８】
0004012639.tif 000009